(57)【要約】      （修正有）【課題】襟首を通過する風量を適切に調整することができる衣服の通風構造を提供する。【解決手段】衣服の通風構造１３は、首後部８の一方位置１１に取り付けられた第一短ベルト１４及び単一の第一ボタン１６と、他方位置１２に取り付けられた第二短ベルト１５及び単一の第二ボタン１７と、単一の調整ベルト１８とを有し、調整ベルトは、衣服の中央部１０から一方位置１１までの長さよりも短く、第一ボタンに留められる単一の第一ボタンホール２２を一方側の端部に有する第一調整ベルト部１９と、衣服の中央部から他方位置１２までの長さよりも短く、第二ボタンに留められる単一の第二ボタンホール２３を他方側の端部に有する第二調整ベルト部２０と、第一調整ベルト部と第二調整ベルト部とのほぼ中間である中央留め部２１とを有している。【選択図】図３
0003223370.tif 000002
【実用新案登録請求の範囲】
【請求項１】
ファンが取り付けられる孔を後身頃に有する衣服のうち、着用者の首の後部と対面する首後部に備えられ、
身幅における中央部から身幅方向の一方に向けて離れた一方位置に取り付けられた第一被留め部と、
前記中央部から身幅方向の他方に向けて離れた他方位置に取り付けられた第二被留め部と、
前記中央部から前記第一被留め部までの長さよりも短いベルトであって、前記第一被留め部に留められる単一の第一留め部を有する第一調整ベルト部、前記中央部から前記第二被留め部までの長さよりも短いベルトであって、前記第二被留め部に留められる単一の第二留め部を有する第二調整ベルト部、及び、前記第一調整ベルト部と前記第二調整ベルト部との間で前記中央部に留められる中央留め部、を有する調整ベルトと、を有する、
ことを特徴とする衣服の通風構造。
【請求項２】
前記第一被留め部を有すると共に前記第一調整ベルト部よりも短い第一短ベルトが、前記一方位置に取り付けられ、
前記第二被留め部を有すると共に前記第二調整ベルト部よりも短い第二短ベルトが、前記他方位置に取り付けられた、
ことを特徴とする請求項１に記載された衣服の通風構造。
【請求項３】
前記第一被留め部及び前記第二被留め部が、前記中央留め部よりも、着丈方向において上側に配置された、
ことを特徴とする請求項１または請求項２に記載された衣服の通風構造。
【請求項４】
前記第一被留め部と前記第一留め部とが、ボタン又は面ファスナーで留められ、
前記第二被留め部と前記第二留め部とが、ボタン又は面ファスナーで留められた、
ことを特徴とする請求項１から請求項３のいずれか１項に記載された衣服の通風構造。
【請求項５】
前記中央部と前記中央留め部とが、縫合された、
ことを特徴とする請求項１から請求項４のいずれか１項に記載された衣服の通風構造。
【請求項６】
前記中央留め部が、補強材を介して前記中央部に留められた、
ことを特徴とする請求項１から請求項５のいずれか１項に記載された衣服の通風構造。
【請求項７】
前記調整ベルトが、別個の前記第一調整ベルト部及び前記第二調整ベルト部とから構成され、前記中央留め部が、第一中央留め部と第二中央留め部とから構成され、
前記第一調整ベルト部が、前記中央部に取り付けられる単一の前記第一中央留め部を有し、
前記第二調整ベルト部が、前記中央部に取り付けられる単一の前記第二中央留め部を有する、
ことを特徴とする請求項１から請求項６のいずれか１項に記載された衣服の通風構造。
【請求項８】
前記首後部と前記第一調整ベルト部との間に第一通気路が形成され、
前記首後部と前記第二調整ベルト部との間に第二通気路が形成され、
前記孔に取り付けられた前記ファンが稼働することで前記衣服の内側に吸気された風が、前記第一通気路及び前記第二通気路を通る、
ことを特徴とする請求項１から請求項７のいずれか１項に記載された衣服の通風構造。
【請求項９】
請求項１から請求項８に記載された衣服の通風構造を有する、
ことを特徴とする衣服。
【請求項１０】
前記ファンと、
請求項１から請求項８に記載された衣服の通風構造と、を有する、
ことを特徴とする衣服。
【考案の詳細な説明】
【技術分野】
【０００１】
本考案は、上半身に着用される衣服の通風構造、及び、この通風構造が備えられた衣服に関するものである。
【背景技術】
【０００２】
従来、屋内外の作業現場では、作業環境における物理的な接触や衝撃から身体を保護するため、また身体や衣服に汚れが付着することを防ぐために、作業者は作業服を着用する。作業服は、一般的に長袖であり、生地が厚いものも多いことから、内側に熱が籠り易い。そこで、後身頃にファンを備える技術が、下記特許文献１において提案されている。ファンが稼働すると外気が衣服の内側に吸気され、風が衣服の内側を通過することで着用者の身体が冷却される。
【先行技術文献】
【特許文献】
【０００３】
【特許文献１】特開２０１８−１２９０７号公報
【考案の概要】
【考案が解決しようとする課題】
【０００４】
しかし、吸気された風は、適切に排気されなければ、衣服の内側で滞留するため、身体を冷却する効果が低下する。また、襟首を通過する風量に応じて、身体を冷却する効果が異なる。
【０００５】
本考案は、この様な実情に鑑みて提案されたものである。すなわち、襟首を通過する風量を適切に調整することができる衣服の通風構造及び衣服の提供を目的とする。
【課題を解決するための手段】
【０００６】
上記目的を達成するために、本考案に係る衣服の通風構造は、ファンが取り付けられる孔を後身頃に有する衣服のうち、着用者の首の後部と対面する首後部に備えられ、身幅における中央部から身幅方向の一方に向けて離れた一方位置に取り付けられた第一被留め部と、前記中央部から身幅方向の他方に向けて離れた他方位置に取り付けられた第二被留め部と、前記中央部から前記一方位置までの長さよりも短いベルトであって、前記第一被留め部に留められる単一の第一留め部を有する第一調整ベルト部、前記中央部から前記他方位置までの長さよりも短いベルトであって、前記第二被留め部に留められる単一の第二留め部を有する第二調整ベルト部、及び、前記第一調整ベルト部と前記第二調整ベルト部との間で前記中央部に留められる中央留め部、を有する調整ベルトと、を有する、ことを特徴とする。
【０００７】
本考案に係る衣服の通風構造は、前記第一被留め部を有すると共に前記第一調整ベルト部よりも短い第一短ベルトが、前記一方位置に取り付けられ、前記第二被留め部を有すると共に前記第二調整ベルト部よりも短い第二短ベルトが、前記他方位置に取り付けられた、ことを特徴とする。
【０００８】
本考案に係る衣服の通風構造は、前記第一被留め部及び前記第二被留め部が、前記中央留め部よりも、着丈方向において上側に配置された、ことを特徴とする。
【０００９】
本考案に係る衣服の通風構造は、前記第一被留め部と前記第一留め部とを留める手段が、ボタン又は面ファスナーであり、前記第二被留め部と前記第二留め部とを留める手段が、ボタン又は面ファスナーである、ことを特徴とする。
【００１０】
本考案に係る衣服の通風構造は、前記中央部と前記中央留め部とが、縫合された、ことを特徴とする。
【００１１】
本考案に係る衣服の通風構造は、前記中央留め部が、補強材を介して前記中央部に留められた、ことを特徴とする。
【００１２】
本考案に係る衣服の通風構造は、前記調整ベルトが、別個の前記第一調整ベルト部及び前記第二調整ベルト部とから構成され、前記中央留め部が、第一中央留め部と第二中央留め部とから構成され、前記第一調整ベルト部が、前記中央部に取り付けられる単一の前記第一中央留め部を有し、前記第二調整ベルト部が、前記中央部に取り付けられる単一の前記第二中央留め部を有する、ことを特徴とする。
【００１３】
本考案に係る衣服の通風構造は、前記首後部と前記第一調整ベルト部との間に第一通気路が形成され、前記首後部と前記第二調整ベルト部との間に第二通気路が形成され、前記孔に取り付けられた前記ファンが稼働することで前記衣服の内側に吸気された風が、前記第一通気路及び前記第二通気路を通る、ことを特徴とする。
【００１４】
本考案に係る衣服は、上記した衣服の通風構造を有する、ことを特徴とする。
【００１５】
本考案に係る衣服は、ファンと、上記した衣服の通風構造と、を有する、ことを特徴とする。
【考案の効果】
【００１６】
本考案に係る衣服の通風構造は、ファンが取り付けられる孔を後身頃に有する衣服のうち、着用者の首の後部と対面する首後部に備えられ、身幅における中央部から身幅方向の一方に向けて離れた一方位置に取り付けられた第一被留め部と、中央部から身幅方向の他方に向けて離れた他方位置に取り付けられた第二被留め部と、中央部から一方位置までの長さよりも短いベルトであって、第一被留め部に留められる単一の第一留め部を有する第一調整ベルト部、中央部から他方位置までの長さよりも短いベルトであって、第二被留め部に留められる単一の第二留め部を有する第二調整ベルト部、及び、第一調整ベルト部と第二調整ベルト部との間で中央部に留められる中央留め部、を有する調整ベルトとを有している。すなわち、第一調整ベルト部の長さが、中央部から一方位置までの長さよりも短いことから、第一調整ベルト部が、中央部及び第一被留め部に留められると、長さの相違に相当する分、第一被留め部が中央部に向けて寄せられる。同様に、第二調整ベルト部も、第二被留め部が中央部に向けて寄せられる。第一調整ベルト部と首後部との間、及び、第二調整ベルト部と首後部との間に、それぞれ空間が形成され、この空間が通気路となる。衣服の孔にファンが取り付けられ、ファンが稼働すると、外気が衣服の内側に吸気され、風が衣服の内側を通って首後部の空間を通過する。したがって、襟首を通過する風量を適切に調整することができる。
【００１７】
本考案に係る通風構造は、第一被留め部を有すると共に第一調整ベルト部よりも短い第一短ベルトが、一方位置に取り付けられ、第二被留め部を有すると共に第二調整ベルト部よりも短い第二短ベルトが、他方位置に取り付けられている。すなわち、第一被留め部を首後部に直接取り付ける必要がなく、また、着用者は、第一被留め部を第一短ベルトごと掴みやすい。したがって、利用者は、第一調整ベルト部と第一短ベルトとを、第一被留め部及び第一留め部を介して容易につなげることができる。第二調整ベルト部及び第二短ベルトも、同様の効果を発揮する。
【００１８】
本考案に係る通風構造は、第一被留め部及び第二被留め部が、中央留め部よりも、着丈方向において上側に配置されている。この構成により、第一調整ベルト部と首後部との間、及び、第二調整ベルト部と首後部との間の空間である各通気路が、下流に向かうにしたがって、中央に向けられる。したがって、風が襟首に向けられ、風を適切な向きに制御することができる。
【００１９】
本考案に係る通風構造は、第一被留め部と第一留め部とを留める手段が、ボタン又は面ファスナーであり、第二被留め部と第二留め部とを留める手段が、ボタン又は面ファスナーである。したがって、構成が簡便である。
【００２０】
本考案に係る通風構造は、中央部と中央留め部とが、縫合されている。したがって、構成が簡便である。
【００２１】
本考案に係る衣服の通風構造は、中央留め部が、補強材を介して中央部に留められている。したがって、調整ベルトが堅牢である。
【００２２】
本考案に係る通風構造は、調整ベルトが、別個の第一調整ベルト部及び第二調整ベルト部とから構成され、中央留め部が、第一中央留め部と第二中央留め部とから構成され、第一調整ベルト部が、中央部に取り付けられる単一の第一中央留め部を有し、第二調整ベルト部が、中央部に取り付けられる単一の第二中央留め部を有している。すなわち、二つのベルト部から構成されているため、各ベルト部の長さや構成を異ならせることができる。
【００２３】
本考案に係る通風構造は、首後部と第一調整ベルト部との間に第一通気路が形成され、首後部と第二調整ベルト部との間に第二通気路が形成され、孔に取り付けられたファンが稼働することで衣服の内側に吸気された風が、第一通気路及び第二通気路を通る。したがって、襟首を通過する風量を適切に調整することができる。
【００２４】
本考案に係る衣服は、上記した通風構造を有する。したがって、襟首を通過する風量を適切に調整することができる。
【００２５】
本考案に係る衣服は、ファンと、上記した通風構造とを有する。したがって、襟首を通過する風量を適切に調整することができる。
【図面の簡単な説明】
【００２６】
【図１】本考案の実施形態に係る衣服の背面図である。
【図２】本考案の実施形態に係る衣服の通風構造の正面図である。
【図３】本考案の実施形態に係る衣服の通風構造の正面図である。
【図４】本考案の実施形態に係る衣服の通風構造の平面図である。
【考案を実施するための形態】
【００２７】
以下に、本考案の実施形態に係る衣服及び通風構造を図面に基づいて説明する。図１は、本考案の実施形態に係る衣服１の背面側が示されている。
【００２８】
図１において、衣服１は、例えば作業服である。なお、衣服１は、例えば、防寒用の上着、シャツなどの様々な上着が含まれる。衣服１は、前身頃、後身頃２、袖３、ヨーク４、襟５などが縫合されたものである。後身頃３は、着丈方向における下部であって、仮想中心線Ｘに対して身幅方向における左右側に、孔６が形成されている。換言すれば、孔６は、後身頃２において、着用者の背中又は腰のあたりに相当する箇所に形成されている。孔６には、ファン７が取り付けられている。ファン７は、例えば、モーターと一体で構成され、モーターに電源（図示省略）が接続される。電源は、例えば前身頃の内側などに収容される。
【００２９】
後身頃２は、襟５又は襟５の近傍である首後部８に、通風構造１３を有している（図２参照）。ここで、首後部８とは、着用者の首の後部、首の付け根、背中の上部などと対面する箇所をいう。なお、首後部８の解釈は、衣服１の種類や形状、着用者の体格などに応じて相違する場合があるため、これらの条件に応じて、適宜解釈される。
【００３０】
ここで、通風構造１３を図面に基づいて説明する。図２及び図３は、衣服１の正面から視した後身頃２の内面であって、首後部８に通風構造１３が取り付けられた状態が示されている。図４は、平面から視した襟５であって、首後部８に通風構造１３が取り付けられた状態が示されている。
【００３１】
図２に示されているとおり、通風構造１３は、身幅における中央部１０から身幅方向の一方（図２において右方）に向けて離れた一方位置１１に取り付けられた第一短ベルト１４と、この第一短ベルト１４に縫合された単一の第一被留め部としての第一ボタン１６と、中央部１０から身幅方向の他方（図２において左方）に向けて離れた他方位置１２に取り付けられた第二短ベルト１５と、この第二短ベルト１５に縫合された単一の第二被留め部としての第二ボタン１７と、単一の調整ベルト１８とを有している。
【００３２】
調整ベルト１８は、帯状であり、第一ボタン１６から第二ボタン１７までの長さよりも短い。調整ベルト１８は、中央よりも身幅方向の一方側（右方側）である第一調整ベルト部１９と、中央よりも身幅方向の他方側（左方側）である第二調整ベルト部２０と、第一調整ベルト部１９と第二調整ベルト部２０とのほぼ中間である中央留め部２１とを有している。第一調整ベルト部１９は、第一ボタン１６に留められる単一の第一留め部としての第一ボタンホール２２を一方側の端部に有し、中央部１０から一方位置１１（第一短ベルト１４、第一ボタン１６）までの長さよりも短く形成されている。同様に、第二調整ベルト部２０は、第二ボタン１７に留められる単一の第二ボタンホール２３を他方側の端部に有し、中央部１０から他方位置１２（第二短ベルト１５、第二ボタン１７）までの長さよりも短く形成されている。中央留め部２１は、補強材９を介して中央部１０に縫合されている。補強材９は、四角形の扁平な布であり、中央部１０に縫合されている。なお、補強材９の形状は任意である。
【００３３】
第一短ベルト１４（第一ボタン１６）及び第二短ベルト１５（第二ボタン１７）は、中央留め部２１よりも、着丈方向において上側であって、後身頃２と襟５との境界近傍に配置されている。第一短ベルト１４は、第一調整ベルト部１９よりも短く形成され、第二短ベルト１５は、第二調整ベルト部２０よりも短く形成されている。
【００３４】
図３に示されているとおり、第一短ベルト１４の第一ボタン１６が、第一調整ベルト部１９の第一ボタンホール２２に通され、第二短ベルト１５の第二ボタン１７が、第二調整ベルト部２０の第二ボタンホール２３に通されると、後身頃２と各調整ベルト部１９，２０との長さの相違に相当する分、第一短ベルト１４（第一ボタン１６）及び第二短ベルト１５（第二ボタン１７）が、中央部１０に向けて寄せられる。各調整ベルト部１９，２０は、中央留め部２１から各ボタン１６，１７に向けて、やや上向きに傾斜する。
【００３５】
図４に示されているとおり、首後部８の一方寄りと第一調整ベルト部１９との間に第一通気路２４が形成され、首後部８の他方寄りと第二調整ベルト部２０との間に第二通気路２５が形成される。
【００３６】
衣服１の孔６にファン７が取り付けられた状態で（図１参照）、ファン７が稼働すると、ファン７を介して衣服１の内側に吸気された風が、第一通気路２４及び第二通気路２５を通って、襟５から排気される。なお、風は、襟５の前身頃側や袖３などからも排気される。
【００３７】
以上のとおり、本実施形態が構成されている。
【００３８】
次に、本実施形態の効果を説明する。
【００３９】
上記したとおり、本実施形態は、首後部８の一方位置１１に取り付けられた第一短ベルト１４と、この第一短ベルト１４に縫合された単一の第一ボタン１６と、首後部８の他方位置１２に取り付けられた第二短ベルト１５と、この第二短ベルト１５に縫合された単一の第二ボタン１７と、単一の調整ベルト１８とを有している。この調整ベルト１８は、中央部１０から一方位置１１までの長さよりも短く、第一ボタン１６に留められる単一の第一ボタンホール２２を一方側の端部に有する第一調整ベルト部１９と、中央部１０から他方位置１２までの長さよりも短く、第二ボタン１７に留められる単一の第二ボタンホール２３を他方側の端部に有する第二調整ベルト部２０と、第一調整ベルト部１９と第二調整ベルト部２０とのほぼ中間である中央留め部２１とを有している。第一ボタン１６が第一ボタンホール２２に通され、第二ボタン１７が第二ボタンホール２３に通されると、後身頃２と各調整ベルト部１９，２０との長さの相違に相当する分、第一短ベルト１４及び第二短ベルト１５が、中央部１０に向けて寄せられる。この構成により、首後部８と第一調整ベルト部１９との間に第一通気路２４が形成され、首後部８と第二調整ベルト部２０との間に第二通気路２５が形成される。各通気路２４，２５は、通気路となり、ファン７が稼働すると、外気が衣服１の内側に吸気され、風が衣服１の内側を通って各通気路２４，２５を通過する。したがって、襟首を通過する風量を適切に調整することができる。
【００４０】
本実施形態では、第一短ベルト１４が、第一調整ベルト部１９よりも短く形成され、第二短ベルト１５が、第二調整ベルト部２０よりも短く形成されている。すなわち、第一ボタン１６及び第二ボタン１７を首後部８に直接縫合する必要がなく、また、着用者は、各ボタン１６，１７を、各短ベルト１４，１５ごと掴みやすい。したがって、利用者は、各調整ベルト部１９，２０と各短ベルト１４，１５とを、各ボタン１６，１７及び各ボタンホール２４，２５を介して容易につなげることができる。
【００４１】
本実施形態は、第一短ベルト１４及び第二短ベルト１５が、中央留め部２１よりも、着丈方向において上側であって、後身頃２と襟５との境界近傍に配置されている。この構成により、第一調整ベルト部１９及び第二調整ベルト部２０は、中央留め部２１から第一ボタン１６又は第二ボタン１７に向けて、やや上向きに傾斜し、第一通気路２４及び第二通気路２５が、下流に向かうにしたがって、中央に向けられる。したがって、各通気路２４，２５を通る風が襟首に向けられ、風を適切な向きに制御することができる。
【００４２】
本実施形態は、留める手段として、第一ボタン１６及び第二ボタン１７や、縫合が用いられているため、構成が簡便である。
【００４３】
本実施形態では、中央留め部２１が、補強材９を介して中央部１０に縫合されている。したがって、調整ベルト１８が堅牢である。
【００４４】
本考案の他の実施形態では、第一被留め部が一方位置に直接縫合され、第二被留め部が他方位置に直接縫合され、換言すれば、各短ベルトを有していない。また、他の実施形態では、第一被留め部と第一留め部とを留める手段が、面ファスナー又はフックであり、第二被留め部と第二留め部とを留める手段も、面ファスナー又はフックである。また、他の実施形態では、第一被留め部が第一ボタンホール、第二被留め部が第二ボタンホール、第一留め部が第一ボタン、第二留め部が第二ボタンである。また、他の実施形態では、中央留め部と中央部とが、ボタン、面ファスナー又はフックで留められる。また、他の実施形態では、単一の調整ベルトではなく、第一調整ベルト部と第二調整ベルト部とが別個で構成されている。この場合、中央留め部は、第一中央留め部と第二中央留め部とから構成される。第一調整ベルト部は、中央部に取り付けられる単一の第一中央留め部を、一方側とは反対側の端部に有し、一方、第二調整ベルト部は、中央部に取り付けられる単一の第二中央留め部を、他方側とは反対側の端部に有する。すなわち、二つのベルト部から構成されているため、各ベルト部の長さや構成を異ならせることができる。また、他の実施形態は、補強材を有していない。また、他の実施形態では、着丈方向において、第一被留め部及び第二被留め部が、中央留め部と同じ高さである。また、他の実施形態は、ファンを有していない。
【００４５】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００４６】
１    衣服
２    後身頃
３    袖
４    ヨーク
５    襟
６    孔
７    ファン
８    首後部
９    補強材
１０  中央部
１１  一方位置
１２  他方位置
１３  通風構造
１４  第一短ベルト
１５  第二短ベルト
１６  第一ボタン（第一被留め部）
１７  第二ボタン（第二被留め部）
１８  調整ベルト
１９  第一調整ベルト部
２０  第二調整ベルト部
２１  中央留め部
２２  第一ボタンホール（第一留め部）
２３  第二ボタンホール（第二留め部）
２４  第一通気路
２５  第二通気路
Ｘ    仮想中心線
【図１】
0003223370.tif 000003
【図２】
0003223370.tif 000004
【図３】
0003223370.tif 000005
【図４】
0003223370.tif 000006